(57)【要約】  【課題】  建築時に各部屋の床暖房に係る工事を一括して行なうようにして、温水床暖房装置の使用を望まない入居者によっては温水床暖房装置の使用ができないようにすること。  【解決手段】  アパート等の入居にあたって、入居者が温水床暖房装置の使用を望む場合には使用の契約を大家等と結び、遠隔操作器１０が入居者に渡される。入居者は渡された遠隔操作器１０を用いて、温度設定をする場合には運転スイッチ１５を押圧操作した後、降温スイッチ１６や昇温スイッチ１７等の設定手段を操作する。すると、この運転スイッチ１５が操作されたこと及びこの設定された設定温度データはマイコン２１内の記憶部に格納されると共に記憶装置３６にも格納される。従って、中継器１１は電源投入後に、遠隔操作器１０から受信データである運転スイッチ１５の操作データを受信することとなるので、本床暖房装置は運転を開始する。  【選択図】  図３
2006017391.tif 000002
【特許請求の範囲】
【請求項１】
床暖房パネルと熱源機との間で循環ポンプを介して温水を循環させて暖房を行なう温水床暖房装置において、前記熱源機を制御するための遠隔操作器と、運転スイッチを有し室内の壁面に設置され前記遠隔操作器からの制御信号を無線で受信して前記熱源機へ伝達するための中継器とを備え、前記運転スイッチの操作がされた後に前記遠隔操作器から所定データを受信すると本床暖房装置の運転を開始可能に制御する制御装置を前記中継器に設けたことを特徴とする温水床暖房装置。
【請求項２】
床暖房パネルと熱源機との間で循環ポンプを介して温水を循環させて暖房を行なう温水床暖房装置において、前記熱源機を制御するための遠隔操作器と、運転スイッチを有し室内の壁面に設置され前記遠隔操作器からの制御信号を無線で受信して前記熱源機へ伝達するための中継器とを備え、前記運転スイッチの操作がされた後に前記遠隔操作器から所定データを受信したか否かを判定する判定装置と、この判定装置が前記受信をしたものと判定したときには本床暖房装置の運転を開始可能に制御すると共に前記受信をしていないものと判定したときには報知手段にて使用できない旨を報知するように制御する制御装置とを前記中継器に設けたことを特徴とする温水床暖房装置。
【請求項３】
床暖房パネルと熱源機との間で循環ポンプを介して温水を循環させて暖房を行なう温水床暖房装置において、前記熱源機を制御するための遠隔操作器と、室内の壁面に設置され前記遠隔操作器からの制御信号を無線で受信して前記熱源機へ伝達するための中継器とを備え、本床暖房装置の使用許可に関するデータを格納する記憶装置及び前記記憶装置に格納された前記データに基づいて本床暖房装置を使用可能又は使用不可能に制御する制御装置を前記中継器に設けたことを特徴とする温水床暖房装置。
【請求項４】
床暖房パネルと熱源機との間で循環ポンプを介して温水を循環させて暖房を行なう温水床暖房装置において、前記熱源機を制御するための遠隔操作器と、室内の壁面に設置され前記遠隔操作器からの制御信号を無線で受信して前記熱源機へ伝達するための中継器とを備え、管理者が前記遠隔操作器及び中継器を操作することにより本床暖房装置の使用許可に関するデータを格納する記憶装置及び前記記憶装置に格納された前記データに基づいて本床暖房装置を使用可能又は使用不可能に制御する制御装置を前記中継器に設けたことを特徴とする温水床暖房装置。
【請求項５】
前記記憶装置に格納された前記データに基づいて本床暖房装置を使用不可能に制御する場合には、前記制御装置は報知手段にて使用できない旨を報知するように制御することを特徴とする請求項３又は４に記載の温水床暖房装置。
【発明の詳細な説明】
【技術分野】
【０００１】
本発明は、床暖房パネルと熱源機との間で循環ポンプを介して温水を循環させて暖房を行う温水床暖房装置に関する。
【背景技術】
【０００２】
この種の温水床暖房装置は、例えば特許文献１などに開示されており、熱源機への制御信号の伝達は、直接前記熱源機を制御する遠隔操作器（リモートコントローラ）が行っている。
【特許文献１】特開２００４−２０００８号公報
【発明の開示】
【発明が解決しようとする課題】
【０００３】
そして、例えばアパートや、ウィークリーマンション等にあっては、利用する部屋には床暖房の設備がなされてあっても、入居者（利用者）によっては温水床暖房装置の使用を望まない方もいる。このため、使用を望まない入居者に対しては、中継器の一部の配線を外して本床暖房装置の使用をできないように施工業者が特別な作業をする必要があった。
【０００４】
そこで本発明は、建築時に各部屋の床暖房に係る工事を一括して行なうようにして、温水床暖房装置の使用を望まない入居者（利用者）によっては温水床暖房装置の使用ができないようにすることを目的とする。
【課題を解決するための手段】
【０００５】
このため第１の発明は、床暖房パネルと熱源機との間で循環ポンプを介して温水を循環させて暖房を行なう温水床暖房装置において、前記熱源機を制御するための遠隔操作器と、運転スイッチを有し室内の壁面に設置され前記遠隔操作器からの制御信号を無線で受信して前記熱源機へ伝達するための中継器とを備え、前記運転スイッチの操作がされた後に前記遠隔操作器から所定データを受信すると本床暖房装置の運転を開始可能に制御する制御装置を前記中継器に設けたことを特徴とする。
【０００６】
第２の発明は、床暖房パネルと熱源機との間で循環ポンプを介して温水を循環させて暖房を行なう温水床暖房装置において、前記熱源機を制御するための遠隔操作器と、運転スイッチを有し室内の壁面に設置され前記遠隔操作器からの制御信号を無線で受信して前記熱源機へ伝達するための中継器とを備え、前記運転スイッチの操作がされた後に前記遠隔操作器から所定データを受信したか否かを判定する判定装置と、この判定装置が前記受信をしたものと判定したときには本床暖房装置の運転を開始可能に制御すると共に前記受信をしていないものと判定したときには報知手段にて使用できない旨を報知するように制御する制御装置とを前記中継器に設けたことを特徴とする。
【０００７】
第３の発明は、床暖房パネルと熱源機との間で循環ポンプを介して温水を循環させて暖房を行なう温水床暖房装置において、前記熱源機を制御するための遠隔操作器と、室内の壁面に設置され前記遠隔操作器からの制御信号を無線で受信して前記熱源機へ伝達するための中継器とを備え、本床暖房装置の使用許可に関するデータを格納する記憶装置及び前記記憶装置に格納された前記データに基づいて本床暖房装置を使用可能又は使用不可能に制御する制御装置を前記中継器に設けたことを特徴とする。
【０００８】
第４の発明は、床暖房パネルと熱源機との間で循環ポンプを介して温水を循環させて暖房を行なう温水床暖房装置において、前記熱源機を制御するための遠隔操作器と、室内の壁面に設置され前記遠隔操作器からの制御信号を無線で受信して前記熱源機へ伝達するための中継器とを備え、管理者が前記遠隔操作器及び中継器を操作することにより本床暖房装置の使用許可に関するデータを格納する記憶装置及び前記記憶装置に格納された前記データに基づいて本床暖房装置を使用可能又は使用不可能に制御する制御装置を前記中継器に設けたことを特徴とする。
【０００９】
第５の発明は、第３又は第４の発明において、前記記憶装置に格納された前記データに基づいて本床暖房装置を使用不可能に制御する場合には、前記制御装置は報知手段にて使用できない旨を報知するように制御することを特徴とする。
【発明の効果】
【００１０】
本発明は、温水床暖房装置の使用を望まない入居者によっては温水床暖房装置の使用ができないようにすることができる。従来は、使用を望まない入居者に対しては中継器の一部の配線を外して本床暖房装置の使用をできないように施工業者が特別な作業をしていたが、本発明によれば、使用を望む入居者と望まない入居者に対しても、建築時に各部屋の床暖房に係る工事を一括して行なうことができる。
【発明を実施するための最良の形態】
【００１１】
以下、本発明の実施の形態を図面に基づき説明する。図１は本発明に係る温水床暖房装置のシステム構成図、図２は制御ブロック図を示したものであり、以下説明する。先ず、１は室外である屋外に設置され、ガスや石油等をバーナＢで燃焼させて、その燃焼熱により加熱される熱交換機２が組み込まれると共にこの熱交換機２につながれた往き管７Ａと戻り管７Ｂとを有する熱源機、３は温水配管が配設され居間などの床に敷設される床暖房パネル、４，５は前記熱源機１と床暖房パネル３との間で温水を循環させるための温水循環用配管、６は前記熱源機１内の戻り管７Ｂの途中に設けられる循環ポンプ、７Ｃはバイパス管、８は流量調整弁である熱動弁（開閉弁）、９はマイクロコンピュータ（以下、「マイコン」という）４１などが配置された制御盤、１０は利用者により操作されて前記熱源機１を制御するための遠隔操作器（リモートコントローラ）、１１は室内の壁面に設置されて前記遠隔操作器１０からの制御信号を無線（赤外線）で受信して前記熱源機１へ伝達するための中継器である。
【００１２】
次に、前記遠隔操作器１０について詳述すると、この遠隔操作器１０にはマイクロコンピュータ（以下、「マイコン」という）１３が設けられ、このマイコン１３には設定温度や時刻などを表示する表示部１４や、運転スイッチ１５、設定温度を設定する際に使用する降温スイッチ１６や昇温スイッチ１７などのキー入力部１８や、このキー入力部１８の操作による命令を前記中継器１１に送信するための赤外線発光部１９等が接続される。
【００１３】
また前記中継器１１について詳述すると、この中継器１１にはマイクロコンピュータ（以下、「マイコン」という）２１が設けられ、このマイコン２１には前記床暖房パネル３が設置される室内の温度を検出する室温検出センサである室温検出サーミスタ２２や、運転中に点灯する運転表示ランプ２３、試運転中に点灯する試運転表示ランプ２４及び各スイッチが操作できないロック状態のときにキーマークを表示するロックキー表示部２５等を有する表示部２６や、運転スイッチ２７や運転停止中に３秒間以上押圧すると遠隔操作器１０の全てのキー入力ができないようにロックするためのロックスイッチ２８などのキー入力部２９や、前記遠隔操作器１０の前記赤外線発光部１９からの制御信号を受光する赤外線受光部３２や、この赤外線受光部３２が受光した制御信号やキー入力部２９の操作による命令等を通信線３４を介して前記熱源機１の通信回路３８に伝達するための通信回路３３や、不揮発性メモリであるＥＥＰＲＯＭから構成された記憶装置３６や、非契約である旨を報知する報知手段であるブザー３７等が接続される。
【００１４】
なお、前記遠隔操作器１０の降温スイッチ１６や昇温スイッチ１７などの設定手段の操作により利用者が設定した設定温度データは、マイコン１３内の記憶部に格納されると共に赤外線発光部１９が発光することにより赤外線受光部３２が受光して前記中継器１１のマイコン２１内の記憶部にも格納される。そして、前記室温検出サーミスタ２２により検出された室内温度データと利用者により設定されてマイコン２１に格納された設定温度データとの偏差に基づき、前記熱源機１をマイコン２１が制御するものである。
【００１５】
前記熱源機１の制御盤９には、マイコン４１が搭載され、このマイコン４１には通信線３４を介して前記中継器１１の通信回路３３に接続される通信回路３８や、前記循環ポンプ６や熱動弁８を駆動するための駆動回路３９や、バーナＢのガス弁４２や点火器４３を制御するための燃焼制御回路４０等が接続される。
【００１６】
以上のような構成により、図３に示すフローチャートに基づき第１の実施形態の動作を説明する。先ず、例えばアパートや、ウィークリーマンション等の入居にあたって、入居者（利用者）が温水床暖房装置の使用を望む場合にはその使用の契約を大家等と結び、入居の際に遠隔操作器１０が入居者に渡される。
【００１７】
そして、入居者は渡された遠隔操作器１０を用いて、温度設定をする場合には初めに運転スイッチ１５を押圧操作した後、降温スイッチ１６や昇温スイッチ１７などの設定手段を操作する。すると、この運転スイッチ１５が操作されたこと及びこの設定された設定温度データは赤外線発光部２６が発光することにより前記中継器１１の赤外線受光部３２が受光してマイコン２１内の記憶部に格納されると共に記憶装置３６にも格納される。
【００１８】
従って、前述したように、中継器１１は電源投入後に、遠隔操作器１０から受信データである運転スイッチ１５の操作データを受信することとなるので、運転スイッチ２７の押圧操作後、マイコン２１は遠隔操作器１０から受信データを受信したかどうかを判定する際に、既に操作データを受信して記憶装置３６に格納しているので受信データを受信したものと判定し、本温水床暖房装置は運転を開始することとなる。
【００１９】
即ち、マイコン２１は通信回路３３に通信線３４を介して通信回路３８へ制御信号を出力するように制御する。そして、この制御信号を熱源機１の通信回路３８が入力するので、マイコン４１は燃焼制御回路４０を介してバーナＢのガス弁４２や点火器４３等を制御すると共に駆動回路３９を介して循環ポンプ６や熱動弁８等を制御し、燃焼が開始される。
【００２０】
従って、循環ポンプ６により熱源機１と床暖房パネル３との間を温水循環用配管４及び５を介して温水が循環するが、室温検出サーミスタ２２により検出された室内温度データと利用者により設定されて記憶装置３６に格納された設定温度データとの偏差に基づき、前記熱源機１をマイコン２１が制御するものである。即ち、設定温度と室内温度との偏差によって、マイコン２１が熱動弁８のオン時間とオフ時間とを計算してマイコン４１を介して制御することで、床暖房パネル３への温水供給量を制御して、室温が設定温度となるように制御することとなる。
【００２１】
しかし、中継器１１は電源投入後に、遠隔操作器１０から前記受信データを受信していない場合には、中継器１１の運転スイッチ２７の操作がなされても、マイコン２１は記憶装置３６内に受信データが格納されているかを判定した際に格納されていないと判定し運転は開始されず、非契約である旨をブザー３７により所定時間だけ警報報知する。これにより、契約無しでは温水床暖房装置が使用できないこととなる。
【００２２】
即ち、入居者のうち温水床暖房装置の使用の契約をした者は、大家から遠隔操作器１０が入居者に渡されるが、その操作の仕方について教えてもらう。即ち、大家から中継器１１の運転スイッチ２７の押圧操作後に、遠隔操作器１０を操作して何らかの受信データを中継器１１に送信して記憶装置３６内に受信データを格納させることにより、使用が可能となるものである。
【００２３】
従って、非契約者が市販されている汎用のマルチリモートコントローラを使用しても、その隠された（秘密の）操作の仕方を知らないので、温水床暖房装置を使用しようとしても使用できないこととなる。
【００２４】
次に、図４及び図５のフローチャートに基づき、温水暖房装置を使用するための設定動作について説明する。先ず、例えばアパート等の入居にあたって、入居者が温水床暖房装置の使用を望む場合にはその使用の契約を大家等と結び、入居に際に遠隔操作器１０が入居者に渡される。
【００２５】
そして、当該温水床暖房装置の工場からの製品出荷の際に、中継器１１の記憶装置３６には当該温水床暖房装置の使用が可能なように契約（契約済み）データが既に設定格納されているので、その使用の契約を大家等と結んで渡された遠隔操作器１０の必要な遠隔操作器１０の操作を入居者は行なうことにより、当該温水床暖房装置の使用が可能となる。
【００２６】
即ち、入居者は渡された中継器１１の運転スイッチ２７を押圧操作すると、マイコン２１は記憶装置３６に契約データが格納されているかどうかを判定し、ここでは既に格納されているので、本温水床暖房装置は前述したような運転を開始することとなる。
【００２７】
しかし、仮にマイコン２１が契約データが格納されているか否かを判定した際に格納されていないと判定した場合には、運転は開始されず、非契約である旨をブザー３７により所定時間だけ警報報知する。ところで、このように現実には、記憶装置３６に誤った使用に関するデータが格納されている（契約データが格納されていない）場合もあるので、入居者では容易に契約又は非契約の設定変更ができないような、契約をした入居者のみが温水暖房装置を使用できるよう、以下のような特殊な設定動作を管理者が行なう（図５参照）。
【００２８】
即ち、管理者が中継器１１の運転スイッチ２７を５秒間以上押圧操作して当該運転スイッチ２７から指を離すと、運転表示ランプ２３が１０秒間点滅する。そして、この運転表示ランプ２３の点滅中に受信データ、例えばロックスイッチ２８を押圧するとこのロックスイッチ２８が操作されたことの操作データは赤外線発光部２６が発光することにより中継器１１の赤外線受光部３２が受光してマイコン２１内の記憶部に格納されると共に記憶装置３６にも格納されるので、マイコン２１は受信データ有りと判定し、３秒間以上の押圧操作があると、マイコン２１は各スイッチが操作できない状態であるキーマークをロックキー表示部２５に表示しているロック状態（非契約）からこの表示が消えてロック解除状態（契約）に設定してその内容である契約データを記憶装置３６に格納する。
【００２９】
従って、運転スイッチ２７等の操作の有効状態となり、温水床暖房装置使用の「契約設定」状態となり、前述したような必要な操作を行なうことにより、温水床暖房装置が使用できることとなる。このように、「契約設定」されると、受け付け音としてブザー３７が１０回鳴り、運転表示ランプ２３の点滅は終了することとなる。
【００３０】
なお、再度「非契約設定」にする場合には、管理者が中継器１１の運転スイッチ２７を５秒間以上押圧操作して当該運転スイッチ２７から指を離すと、運転表示ランプ２３が１０秒間点滅するが、この点滅中にロックスイッチ２８を押圧操作すると、この操作データは赤外線発光部２６が発光することにより中継器１１の赤外線受光部３２が受光してマイコン２１内の記憶部に格納されると共に記憶装置３６にも格納されるので、マイコン２１は受信データ有りと判定し、３秒間以上の押圧操作があると、マイコン２１はロック解除状態（契約）からロック状態（非契約）に設定してその内容である非契約データを記憶装置３６に格納する。
【００３１】
従って、運転スイッチ２７等の操作の無効状態となり、温水床暖房装置使用の「非契約設定」状態となり、温水床暖房装置の使用ができないこととなる。
【００３２】
以上のような複雑な設定動作のみによって契約又は非契約に設定できるようにしたので、非契約者が市販されている汎用のマルチリモートコントローラを使用して契約設定しようとしても、そのように設定できず、温水床暖房装置を使用しようとしても使用できないこととなる。
【００３３】
以上のように、本発明は、温水床暖房装置の使用を望まない入居者によっては温水床暖房装置の使用ができないようにすることができる。従来は、使用を望まない入居者に対しては中継器の一部の配線を外して本床暖房装置の使用をできないように施工業者が特別な作業をしていたが、本発明によれば、使用を望む入居者と望まない入居者に対しても、建築時に各部屋の床暖房に係る工事を一括して行なうことができる。
【００３４】
なお、以上本発明の実施態様について説明したが、上述の説明に基づいて当業者にとって種々の代替例、修正又は変形が可能であり、本発明の趣旨を逸脱しない範囲で前述の種々の代替例、修正又は変形を包含するものである。
【図面の簡単な説明】
【００３５】
【図１】温水床暖房装置のシステム構成図である。
【図２】制御ブロック図である。
【図３】第１の実施形態のフローチャートを示す図である。
【図４】第２の実施形態のフローチャートを示す図である。
【図５】温水床暖房装置の使用の契約に係る設定動作の説明のためのフローチャートを示す図である。
【符号の説明】
【００３６】
１              熱源機
３              床暖房パネル
１０            遠隔操作器
１１            中継器
１５            運転スイッチ
２１            マイコン
３３            通信回路
３４            通信線
３６            記憶装置
【図１】
2006017391.tif 000003
【図２】
2006017391.tif 000004
【図３】
2006017391.tif 000005
【図４】
2006017391.tif 000006
【図５】
2006017391.tif 000007